【手続補正書】
【提出日】平成21年7月9日(2009.7.9)
【手続補正１】
【補正対象書類名】特許請求の範囲
【補正対象項目名】全文
【補正方法】変更
【補正の内容】
【特許請求の範囲】
【請求項１】
検出手段により検出された流量計本体からの検出量に基づき流量演算処理を行い流量演算結果を流量データとしてパルス信号に変換しパルス出力としてパルス出力処理を行い下流装置に送出する流量演算システムにおいて，
前記流量計本体によって検出される検出量を流量演算可能な状態で入力する上位側入力部と、前記上位側入力部を介して入力される検出量に基づいて流量演算を行う上位側演算部と、前記上位側演算部における流量演算完了毎にタイマ割り込みを発生する上位側タイマ割り込み部と、前記上位側入力部から出力される検出量を前記上位側演算部に出力し前記上位側タイマ割り込み部から出力されるタイマ割り込み信号を入力して前記上位側演算部において演算した流量演算結果を出力する上位側制御部と、前記上位側制御部から出力される流量演算結果を出力する上位側出力部と、からなる上位側ＣＰＵと，
前記上位側ＣＰＵの上位側出力部から出力される流量演算結果を入力する下位側入力部と、前記下位側入力部に入力された上位側ＣＰＵの上位側出力部から出力される流量演算結果に基づいてパルス信号に変換する流量演算を行う下位側演算部と、前記下位側演算部においてパルス信号に変換された流量演算結果を一旦ストアする記憶部と、前記上位側ＣＰＵの上位側タイマ割り込み部によるタイマ割り込みよりも短い予め設定された周期毎でかつ該上位側タイマ割り込み部のタイマ割り込みと非同期にタイマ割り込み信号を発生する下位側タイマ割り込み部と、前記下位側タイマ割り込み部から出力される予め設定された周期毎に発生するタイマ割り込みの発生回数をカウントするカウンタと、前記下位側入力部から出力される流量演算結果を前記下位側演算部に送出し該下位側演算部においてパルス信号に変換された流量演算結果を前記記憶部に送出し前記下位側タイマ割り込み部から出力されるタイマ割り込み信号を入力して前記カウンタに出力し該カウンタにおけるカウント値が予め設定した回数に達したときに前記記憶部に記憶してあるパルス信号に変換された流量演算結果を出力する下位側出力部と、からなる下位側ＣＰＵと，
によって構成し、前記記憶部に記憶してあるパルス信号に変換された流量演算結果を前記上位側タイマ割り込み部から出力されるタイマ割り込み信号の入力毎に時系列的に連続したパルス列として送出することを特徴とする流量演算システム。
【請求項２】
前記下位側ＣＰＵのカウンタは，
下位側ＣＰＵの下位側タイマ割り込み部におけるタイマ割り込みの発生回数をカウントするカウンタと，
前記流量演算結果をパルス信号に変換する下位側演算部においてパルス信号に変換された初回の流量演算結果のパルス信号を出力したか否かを判別するためのカウンタと，
２つのカウンタで構成したものである請求項１に記載の流量演算システム。
【請求項３】
検出手段により検出された流量計本体からの検出量に基づき流量演算処理を行い流量演算結果を流量データとしてパルス信号に変換しパルス出力として送出するパルス出力処理を行う流量演算処理方法において，
システムに電源を投入してシステムを初期化し、流量計本体からの検出量に基づき最初の流量演算処理を行い流量演算周期Ｔｘを生成し、該流量演算周期Ｔｘ毎に上位側タイマ割り込みを発生する上位側タイマ割り込み周期を設定し、前記上位側タイマ割り込み周期よりも短く該上位側タイマ割り込みに非同期でタイマ割り込みを発生する下位側タイマ割り込み周期Ｔｕを設定する第１のステップと，
前記流量演算処理の終了のときに発生する上位側タイマ割り込みによって流量演算処理を行った流量演算結果をパルス信号に変換してパルス出力を開始するための移相時間に相当する割り込み回数Ｎａを予め設定する第２のステップと，
前記流量演算周期Ｔｘ毎に発生する割り込みによって該流量演算周期Ｔｘ間に流量演算して得られた演算結果Ｑｍをパルス信号に変換して一旦ストアする第３のステップと，
下位側タイマ割り込み周期Ｔｕ毎に発生する下位側タイマ割り込みのカウント数が予め設定した数に達したときに前記最初の流量演算処理の終了のときに発生する上位側タイマ割り込みによって流量演算処理を行いパルス信号に変換した一旦ストアしてある流量演算結果Ｑｍをパルス出力送出時間内に出力する第４のステップと，
パルス信号に変換されている次の流量演算結果Ｑｍを予め設定したパルス出力送出時間内に送出し、前記次の流量演算処理の終了のときに発生する上位側タイマ割り込みによって前記下位側タイマ割り込み周期Ｔｕ毎に発生する下位側タイマ割り込み数をカウントするカウンタの値をゼロクリアし、再カウントを開始する第５のステップと，
前記第２のステップから第５のステップを繰り返して行う第６のステップと，
からなることを特徴とする流量演算処理方法。
【請求項４】
前記第４のステップにおける流量演算結果Ｑｍのパルス出力送出時間は，
パルス出力の送出完了時において、前記演算処理の演算周期に合わせて発生する上位側タイマ割り込みによって、前記演算周期とは別に発生する該演算周期の１／ｎとなる下位側タイマ割り込み（ｎ：２以上の整数）のカウンタによるカウント値Ｎに基づいて、次のパルス出力送出時間を設定するものである請求項３に記載の流量演算処理方法。
【請求項５】
前記一回目のパルス出力の送出完了時において、カウンタのカウント値Ｎに基づき、二回目となる次のパルス出力送出時間Ｔａ又はＴｂは、
１≦Ｎａ≦（Ｔｘ／Ｔｕ−１）
但し）Ｎ：カウンタのカウント値
ＴＮａ：所定の割り込み回数
Ｔｘ：流量演算周期
Ｔｕ：下位側タイマ割り込み周期
としたとき、
Ｎ≧Ｎａの時は、
Ｔａ＝Ｔｘ（１−θ％）
但し）θ：流量演算周期Ｔｘの周期変動分
Ｎ＜Ｎａの時は、
Ｔｂ＝Ｔｘ（１＋θ％）
但し）θ：流量演算周期Ｔｘの周期変動分
であることを特徴とする請求項３又は４に記載の流量演算処理方法。
【請求項６】
請求項１又は２に記載の流量演算システムを備えてなる
ことを特徴とするコリオリ流量計。
【手続補正２】
【補正対象書類名】明細書
【補正対象項目名】発明の名称
【補正方法】変更
【補正の内容】
【発明の名称】流量演算システム、流量演算処理方法およびコリオリ流量計
【手続補正３】
【補正対象書類名】明細書
【補正対象項目名】０００１
【補正方法】変更
【補正の内容】
【０００１】
本発明は、流量演算システムに関し、詳しくは、演算システムにおいてパルス出力を時系列的に連続したパルス列として送出する処理を行うための流量演算システムに関する。
また、本発明は、演算システムにおいてパルス出力を時系列的に連続したパルス列として送出する処理を行う流量演算処理方法に関する。
さらに、本発明は、流量演算システムを備えるコリオリ流量計に関する。
【手続補正４】
【補正対象書類名】明細書
【補正対象項目名】００１２
【補正方法】変更
【補正の内容】
【００１２】
本発明は、短バッチの計測でも影響のでない処理方法としての流量演算システムを提供することを課題とする。
また、本発明は、短バッチの計測でも影響のでない処理方法として、流量演算処理方法を提供することを課題とする。
さらに、コリオリ流量計を提供することについても課題とする。
【手続補正５】
【補正対象書類名】明細書
【補正対象項目名】００１３
【補正方法】変更
【補正の内容】
【００１３】
上記課題を解決するためになされた請求項１記載の本発明の流量演算システムは、検出手段により検出された流量計本体からの検出量に基づき流量演算処理を行い流量演算結果を流量データとしてパルス信号に変換しパルス出力としてパルス出力処理を行い下流装置に送出する流量演算システムにおいて，
前記流量計本体１２によって検出される検出量を流量演算可能な状態で入力する上位側入力部４１と、前記上位側入力部４１を介して入力される検出量に基づいて流量演算を行う上位側演算部３８と、前記上位側演算部３８における流量演算完了毎にタイマ割り込みを発生する上位側タイマ割り込み部４０と、前記上位側入力部４１から出力される検出量を前記上位側演算部３８に出力し前記上位側タイマ割り込み部４０から出力されるタイマ割り込み信号を入力して前記上位側演算部３８において演算した流量演算結果を出力する上位側制御部と、前記上位側制御部３８から出力される流量演算結果を出力する上位側出力部４２と、からなる上位側ＣＰＵ３４と，
前記上位側ＣＰＵ３４の上位側出力部４２から出力される流量演算結果を入力する下位側入力部４８と、前記下位側入力部４８に入力された上位側ＣＰＵの上位側出力部４２から出力される流量演算結果に基づいてパルス信号に変換する流量演算を行う下位側演算部４３と、前記下位側演算部４３においてパルス信号に変換された流量演算結果を一旦ストアする記憶部４６と、前記上位側ＣＰＵ３４の上位側タイマ割り込み部４０によるタイマ割り込みよりも短い予め設定された周期毎でかつ該上位側タイマ割り込み部４０のタイマ割り込みと非同期にタイマ割り込み信号を発生する下位側タイマ割り込み部４５と、前記下位側タイマ割り込み部４５から出力される予め設定された周期毎に発生するタイマ割り込みの発生回数をカウントするカウンタ４７と、前記下位側入力部４８から出力される流量演算結果を前記下位側演算部４３に送出し該下位側演算部４３においてパルス信号に変換された流量演算結果を前記記憶部４６に送出し前記下位側タイマ割り込み部４５から出力されるタイマ割り込み信号を入力して前記カウンタ４７に出力し該カウンタ４７におけるカウント値が予め設定した回数に達したときに前記記憶部４６に記憶してあるパルス信号に変換された流量演算結果を出力する下位側出力部４９と、からなる下位側ＣＰＵ３５と，
によって構成し、前記記憶部４６に記憶してあるパルス信号に変換された流量演算結果を前記上位側タイマ割り込み部４０から出力されるタイマ割り込み信号の入力毎に時系列的に連続したパルス列として送出することを特徴としている。
【手続補正６】
【補正対象書類名】明細書
【補正対象項目名】００１４
【補正方法】変更
【補正の内容】
【００１４】
請求項２記載の本発明の流量演算システムは、請求項１に記載の流量演算システムにおける前記下位側ＣＰＵ３５のカウンタ４７を，
下位側ＣＰＵ３５の下位側タイマ割り込み部４５におけるタイマ割り込みの発生回数をカウントするカウンタと，
前記流量演算結果をパルス信号に変換する下位側演算部４３においてパルス信号に変換された初回の流量演算結果のパルス信号を出力したか否かを判別するためのカウンタの２つのカウンタで構成したことを特徴としている。
【手続補正７】
【補正対象書類名】明細書
【補正対象項目名】００１５
【補正方法】変更
【補正の内容】
【００１５】
請求項３記載の本発明の流量演算処理方法は、検出手段により検出された流量計本体からの検出量に基づき流量演算処理を行い流量演算結果を流量データとしてパルス信号に変換しパルス出力として送出するパルス出力処理を行う流量演算処理方法において，
システムに電源を投入してシステムを初期化し、流量計本体からの検出量に基づき最初の流量演算処理を行い流量演算周期Ｔｘを生成し、該流量演算周期Ｔｘ毎に上位側タイマ割り込みを発生する上位側タイマ割り込み周期を設定し、前記上位側タイマ割り込み周期よりも短く該上位側タイマ割り込みに非同期でタイマ割り込みを発生する下位側タイマ割り込み周期Ｔｕを設定する第１のステップと，
前記流量演算処理の終了のときに発生する上位側タイマ割り込みによって流量演算処理を行った流量演算結果をパルス信号に変換してパルス出力を開始するための移相時間に相当する割り込み回数Ｎａを予め設定する第２のステップと，
前記流量演算周期Ｔｘ毎に発生する割り込みによって該流量演算周期Ｔｘ間に流量演算して得られた演算結果Ｑｍをパルス信号に変換して一旦ストアする第３のステップと，
下位側タイマ割り込み周期Ｔｕ毎に発生する下位側タイマ割り込みのカウント数が予め設定した数に達したときに前記最初の流量演算処理の終了のときに発生する上位側タイマ割り込みによって流量演算処理を行いパルス信号に変換した一旦ストアしてある流量演算結果Ｑｍをパルス出力送出時間内に出力する第４のステップと，
パルス信号に変換されている次の流量演算結果Ｑｍを予め設定したパルス出力送出時間内に送出し、前記次の流量演算処理の終了のときに発生する上位側タイマ割り込みによって前記下位側タイマ割り込み周期Ｔｕ毎に発生する下位側タイマ割り込み数をカウントするカウンタの値をゼロクリアし、再カウントを開始する第５のステップと，
前記第２のステップから第５のステップを繰り返して行う第６のステップと，
からなることを特徴としている。
【手続補正８】
【補正対象書類名】明細書
【補正対象項目名】００１６
【補正方法】変更
【補正の内容】
【００１６】
請求項４記載の本発明の流量演算処理方法は、請求項３又は４に記載の流量演算処理方法において、前記第４のステップにおける流量演算結果Ｑｍのパルス出力送出時間を，
パルス出力の送出完了時において、前記演算処理の演算周期に合わせて発生する上位側タイマ割り込みによって、前記演算周期とは別に発生する該演算周期の１／ｎとなる下位側タイマ割り込み（ｎ：２以上の整数）のカウンタによるカウント値Ｎに基づいて、次のパルス出力送出時間を設定することを特徴としている。
【手続補正９】
【補正対象書類名】明細書
【補正対象項目名】００１７
【補正方法】変更
【補正の内容】
【００１７】
請求項５記載の本発明の流量演算処理方法は、請求項２に記載の流量演算処理方法において、前記一回目のパルス出力の送出完了時において、カウンタのカウント値Ｎに基づき、二回目となる次のパルス出力送出時間Ｔａ又はＴｂを、
１≦Ｎａ≦（Ｔｘ／Ｔｕ−１）
但し）Ｎ：カウンタのカウント値
ＴＮａ：所定の割り込み回数
Ｔｘ：流量演算周期
Ｔｕ：下位側タイマ割り込み周期
としたとき、
Ｎ≧Ｎａの時は、
Ｔａ＝Ｔｘ（１−θ％）
但し）θ：流量演算周期Ｔｘの周期変動分
Ｎ＜Ｎａの時は、
Ｔｂ＝Ｔｘ（１＋θ％）
但し）θ：流量演算周期Ｔｘの周期変動分
であることを特徴としている。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】変更
【補正の内容】
【００２０】
請求項６記載の本発明のコリオリ流量計は、請求項１又は２に記載の流量変換システムを備えてなることを特徴としている。
【手続補正１３】
【補正対象書類名】明細書
【補正対象項目名】００２２
【補正方法】変更
【補正の内容】
【００２２】
本発明によれば、演算システムでの処理方法に関して、従来よりも格段により良い流量演算システムおよび流量演算処理方法を提供することができるという効果を奏する。
また、本発明によれば、このより良い流量演算システムを採用することによりなるコリオリ流量計も提供することができるという効果を奏する。